(57)【特許請求の範囲】
【請求項１】
生体の状態を計測するための医療機器であって、
外面に設けられた凹部と計測結果を表示する表示画面とを備える筐体と、
前記筐体の前記凹部の内側に貼付され、且つ、少なくとも粘着材層と滑り止め層とを備える貼付部材と、
カバーと、を備え、
前記凹部は、前記表示画面が設けられた面に隣接している面のうち、少なくとも１つの面内に、その長手方向が、前記表示画面が設けられた面に隣接している面の長手方法に沿い、且つ、その開口縁と前記貼付部材との間に隙間が形成されるように設けられ、
前記カバーは、前記隙間を塞ぐように形成され、且つ、弾性体を介して前記凹部に固定され、
前記弾性体は、前記カバーが外力によって前記凹部の内側に向けて押圧されると弾性変形する、
ことを特徴とする医療機器。
【請求項２】
前記筐体に、前記凹部の外周に沿って、溝が設けられている請求項１に記載の医療機器。
【請求項３】
前記凹部の断面の底側がＶ形状に形成されている請求項１に記載の医療機器。
【請求項４】
前記滑り止め層が、樹脂材料又はゴム材料によって形成され、且つ、その内部で分散している粒状の識別部材を有し、
前記識別部材は、発光性材料、熱変色性材料、及び光反射性材料のいずれかによって形成されている、請求項１〜３のいずれかに記載の医療機器。
【請求項５】
前記貼付部材が、粘着材層と、識別層と、光透過性を有し、且つ、樹脂材料又はゴム材料によって形成された滑り止め層とを備え、
前記粘着材層、前記識別層、及び前記滑り止め層は、順に積層され、
前記識別層は、発光性材料または光反射性材料によって形成されている、請求項１〜３のいずれかに記載の医療機器。
【請求項６】
前記貼付部材が、粘着材層と、樹脂材料又はゴム材料によって形成された滑り止め層と、識別層とを備え、
前記粘着材層、前記滑り止め層、及び前記識別層は、順に積層され、
前記識別層は、発光性材料、熱変色性材料、及び光反射性材料のいずれかによって形成されている、請求項１〜３のいずれかに記載の医療機器。
【請求項７】
前記貼付部材が、粘着材層と、芳香成分を含む芳香成分含浸層と、多孔性を有し、且つ、樹脂材料又はゴム材料によって形成された滑り止め層とを備え、
前記芳香成分含浸層は、前記粘着材層の一方側に配置され、
前記滑り止め層は、前記粘着材層の一方側に、前記芳香成分含浸層を覆うように形成されている、請求項１〜３のいずれかに記載の医療機器。
【請求項８】
前記貼付部材が、粘着材層と、圧力センサ及びスピーカを実装する回路基板と、樹脂材料又はゴム材料によって形成された滑り止め層とを備え、
前記回路基板は、前記粘着材層の一方側に配置され、且つ、前記圧力センサからの信号に応じて前記スピーカを駆動する駆動回路を備え、
前記滑り止め層は、前記粘着材層の一方側に、前記回路基板、前記圧力センサ、及び前記スピーカを覆うように形成されている、請求項１〜３のいずれかに記載の医療機器。
【請求項９】
前記貼付部材が、粘着材層と、樹脂材料又はゴム材料によって形成された滑り止め層とを少なくとも備え、
前記滑り止め層に、凹部が形成されている、請求項１〜３のいずれかに記載の医療機器。
【発明の詳細な説明】
【技術分野】
【０００１】
本発明は、医療機器、特には携帯型の医療機器に関する。
【背景技術】
【０００２】
近年、医療機器の小型化が促進され、例えば、血糖値計、血圧計、心拍計等にあっては、携帯が可能な程度にまで小型化が図られている。このような医療機器は、患者や医療関係者等によって持ち歩かれることも多く、その使用頻度は高いものとなっている。特に、血糖値計は、糖尿病患者にとって必須の医療機器であり、血糖値計における携帯頻度及び使用頻度はともに非常に高く、そのパーソナル性は、非常に高いと考えられる。
【０００３】
また、このようなパーソナル性が高い機器を使用するユーザーにおいては、機器の外観を自己の好みの外観にカスタマイズすることによって、自己の個性を主張したいという要望が存在する。近年においては、ユーザーが医療機器の外観を好みの外観にカスタマイズできるようにする保護カバーが提案されている（例えば、特許文献１参照。）。
【０００４】
具体的には、特許文献１では、模様や図案が印刷された保護カバーが提案されている。ユーザーは、好みのデザインが施された保護カバーを利用することで、機器の外観をカスタマイズすることができる。また、この結果、ユーザーがその機種に飽きてしまうのを抑制できるので、ユーザーが同じ機種を長く使用する手助けとなる。更に、これにより、機器のライフサイクルの長期化が促され、環境負荷の縮小化も図られることとなる。
【先行技術文献】
【特許文献】
【０００５】
【特許文献１】特開２００４−３１３２６９号公報（第６頁、第６図）
【発明の概要】
【発明が解決しようとする課題】
【０００６】
しかしながら、保護カバーを取り替えて機器の外観を変更する場合は、その度に、新たな保護カバーを購入する必要があり、ユーザーにおける経済的負担が大きくなってしまう。また、医療機器に保護カバーを取り付けると、保護カバーの分だけ、医療機器は大型化するため、医療機器の小型化の促進を妨げてしまう。
【０００７】
一方、機器の筐体に、シールを貼り付けるなどすれば、小型化の促進を妨げることなく、低コストで外観の変更を実現できるが、シールは、外部からの接触等によって簡単に剥がれることがある。この場合は、美観を損ねるとともに、ユーザーにとっては、貼り直しといった面倒な作業が必要になる。
【０００８】
本発明の目的は、上記問題を解消し、低コストで、小型化の促進を妨げることなく、容易に外観を変化させ得る医療機器を提供することにある。
【課題を解決するための手段】
【０００９】
上記目的を達成するために本発明における医療機器は、生体の状態を計測するための医療機器であって、筐体と、貼付部材とを備え、前記貼付部材は、前記筐体の外面に貼付されていることを特徴とする。上記特徴によれば、従来のような保護カバーを用いず、低コストで医療機器の外観を変化させることができる。この場合、医療機器の小型化の促進が妨げられることもない。また、貼付部材のデザインを目立つものとした場合は、医療機器が小型化し、紛失し易くなっても、これを抑制することができる。
【００１０】
また、上記本発明における医療機器は、前記筐体の外面に凹部が設けられ、前記貼付部材が、前記凹部の内側に貼付されているのが好ましい。この場合、凹部に貼付部材を貼り付けるだけで良く、簡単に外観を変化させることができる。更に、貼付部材は凹部の内部に貼り付けられ、その縁は外部の物体と接触し難くなっている。よって、貼付部材は、単にシールを貼り付けた場合と異なり、剥がれ難くなっている。
【００１１】
上記本発明における医療機器においては、前記筐体に、計測結果を表示する表示画面が設けられ、前記凹部が、前記表示画面が設けられた面に隣接する面に設けられているのが好ましい。この場合は、ユーザーの手が触れやすい位置に、滑り止め効果を有する部材が配置されるため、ユーザーによる上記落下事故の発生が更に抑制されることとなる。
【００１２】
上記本発明における医療機器は、前記凹部が、その開口縁と前記貼付部材との間に隙間が形成されるように設けられている態様とするのが好ましい。この態様とした場合は、貼付部材の貼り替えが必要なときに、ユーザーが指等を隙間に差し込むことによって、簡単に古い貼付部材を剥離できる。
【００１３】
また、上記態様とする場合は、当該医療機器が前記隙間を塞ぐカバーを更に備え、前記カバーは、弾性体を介して前記凹部に固定され、前記弾性体は、前記カバーが外力によって前記凹部の内側に向けて押圧されると弾性変形するのが好ましい。こうすることにより、貼付部材の剥離が行われない場合は、隙間は塞がれるため、外部の物体との接触によって貼付部材が剥離されてしまう事態の発生が抑制される。
【００１４】
上記本発明における医療機器は、前記筐体に、前記凹部の外周に沿って、溝が設けられている態様とすることもできる。上記態様とした場合は、溝を介して貼付部材を押圧でき、これによって、貼付部材を変形させることができる。この結果、貼付部材と凹部との接触面積が小さくなり、貼付部材の剥離作業が容易なものとなる。
【００１５】
また、上記本発明における医療機器は、前記凹部の断面の底側がＶ形状に形成されている態様とすることもできる。上記態様とした場合は、貼付部材は弾性変形した状態で、貼付される。このため、後に貼付部材を剥離する必要性が発生した場合に、貼付部材を簡単に剥離できる。
【００１６】
上記本発明における医療機器は、前記貼付部材が、粘着材層と、印刷層と、樹脂材料又はゴム材料によって形成された滑り止め層とを備え、前記粘着材層、前記印刷層、及び前記滑り止め層は、順に積層されている態様とするのが好ましい。
【００１７】
上記態様によれば、貼付部材に、種々の模様、図形及び文字を印刷することができる。このため、医療機器の外観をいっそうユーザーの好みに応じた外観とすることができ、ユーザーの機器に対する愛着も更に深まることとなる。また、上記態様では、貼付部材が滑り止め効果を有するため、ユーザーが誤って医療機器を落下させてしまう事態の発生が抑制される。
【００１８】
上記本発明における医療機器は、前記貼付部材が、粘着材層と、光透過性を有し、且つ、樹脂材料又はゴム材料によって形成された滑り止め層とを備え、前記滑り止め層は、その内部で分散している粒状の識別部材を有し、前記識別部材は、発光性材料、熱変色性材料、及び光反射性材料のいずれかによって形成されている態様とするのが好ましい。この場合は、貼付部材が目立つものとなり、医療機器においては、識別機能の向上が図れられる。
【００１９】
また、上記本発明における医療機器は、前記貼付部材が、粘着材層と、識別層と、光透過性を有し、且つ、樹脂材料又はゴム材料によって形成された滑り止め層とを備え、前記粘着材層、前記識別層、及び前記滑り止め層は、順に積層され、前記識別層は、発光性材料または光反射性材料によって形成されている、態様とするのも好ましい。この場合も、医療機器においては、貼付部材により、識別機能の向上が図れられる。
【００２０】
更に、上記本発明における医療機器は、前記貼付部材が、粘着材層と、樹脂材料又はゴム材料によって形成された滑り止め層と、識別層とを備え、前記粘着材層、前記滑り止め層、及び前記識別層は、順に積層され、前記識別層は、発光性材料、熱変色性材料、及び光反射性材料のいずれかによって形成されている、態様とするのも好ましい。この場合も、医療機器においては、貼付部材により、識別機能の向上が図れられる。
【００２１】
また、上記本発明における医療機器は、前記貼付部材が、粘着材層と、芳香成分を含む芳香成分含浸層と、多孔性を有し、且つ、樹脂材料又はゴム材料によって形成された滑り止め層とを備え、前記芳香成分含浸層は、前記粘着材層の一方側に配置され、前記滑り止め層は、前記粘着材層の一方側に、前記芳香成分含浸層を覆うように形成されている、態様とすることもできる。この場合、医療機器は、ユーザーを、芳香成分によってリラックスさせることができる。
【００２２】
更に、上記本発明における医療機器は、前記貼付部材が、粘着材層と、圧力センサ及びスピーカを実装する回路基板と、樹脂材料又はゴム材料によって形成された滑り止め層とを備え、前記回路基板は、前記粘着材層の一方側に配置され、且つ、前記圧力センサからの信号に応じて前記スピーカを駆動する駆動回路を備え、前記滑り止め層は、前記粘着材層の一方側に、前記回路基板、前記圧力センサ、及び前記スピーカを覆うように形成されている、態様とすることもできる。この場合は、ユーザーは、音によって、医療機器の保持が十分かどうかを確認することができる。
【００２３】
また、上記本発明における医療機器は、前記貼付部材が、粘着材層と、樹脂材料又はゴム材料によって形成された滑り止め層とを少なくとも備え、前記滑り止め層に、凹部が形成されている、態様とすることができる。この場合は、ユーザーによる医療機器の把持が容易なものとなる。
【発明の効果】
【００２４】
以上のように本発明における医療機器によれば、低コストで、小型化の促進を妨げることなく、容易に外観を変化させことができる。
【図面の簡単な説明】
【００２５】
【図１】図１は、本発明の実施の形態１における医療機器の構成を示す斜視図であり、医療機器の筐体に貼付部材が貼付されていない状態を示している。
【図２】図２は、本発明の実施の形態１における医療機器の構成を示す斜視図であり、医療機器の筐体に貼付部材が貼付されている状態を示している。
【図３】図３は、図２中に示した切断線Ａ−Ａ´に沿って切断して得られる断面図である。
【図４】図４は、本発明の実施の形態２における医療機器を示す側面図である。
【図５】図５は、図４に示した医療機器を切断線Ｂ−Ｂ´に沿って切断して得られる断面図である。
【図６】図６は、本発明の実施の形態３における医療機器を示す側面図である。
【図７】図７は、図６に示した医療機器を切断線Ｃ−Ｃ´に沿って切断して得られる断面図である。
【図８】図８は、本発明の実施の形態４における医療機器を示す側面図である。
【図９】図９は、図８に示した医療機器を切断線Ｄ−Ｄ´に沿って切断して得られる断面図である。
【図１０】図１０は、本発明の実施の形態５における医療機器を示す分解斜視図である。
【図１１】図１１（ａ）は、図１０に示した医療機器を切断線Ｅ−Ｅ´に沿って切断して得られる断面図、図１１（ｂ）は、図１０に示した医療機器を切断線Ｆ−Ｆ´に沿って切断して得られる断面図である。
【図１２】図１２（ａ）及び（ｂ）は、本発明における医療機器で用いることができる貼付部材の第２例を示す図であり、図１２（ａ）は粘着材層側からみた平面図、図１２（ｂ）は図１２（ａ）中の切断線Ｇ−Ｇ´に沿って得られた断面図である。
【図１３】図１３は、本発明における医療機器で用いることができる貼付部材の第３例を示す斜視図である。
【図１４】図１４は、本発明における医療機器で用いることができる貼付部材の第４例を示す断面図である。
【図１５】図１５は、本発明における医療機器で用いることができる貼付部材の第５例を示す断面図である。
【図１６】図１６は、本発明における医療機器で用いることができる貼付部材の第６例を示す断面図である。
【図１７】図１７は、本発明における医療機器で用いることができる貼付部材の第７例を示す断面図である。
【図１８】図１８は、本発明における医療機器で用いることができる貼付部材の第８例を示す断面図である。
【図１９】図１９は、本発明における医療機器で用いることができる貼付部材の第９例を示す断面図である。
【発明を実施するための形態】
【００２６】
（実施の形態１）
本発明の実施の形態１における医療機器について、図１〜図３を参照しながら説明する。図１及び図２は、本発明の実施の形態１における医療機器の構成を示す斜視図である。図１は、医療機器の筐体に貼付部材が貼付されていない状態を示し、図２は、医療機器の筐体に貼付部材が貼付されている状態を示している。図３は、図２に示した医療機器を切断線Ａ−Ａ´に沿って切断して得られる断面図である。
【００２７】
図１及び図２に示すように、本実施の形態１における医療機器１は、生体の状態を計測するための医療機器、例えば、血糖値計、血圧計、乳酸値計、ケトン体測定装置、体温計、尿試験紙計、脂質測定装置などである。また、医療機器１は、手の平サイズで構成されており、患者等のユーザーが携帯することを前提としている。
【００２８】
医療機器１は、筐体２を備えている。この筐体２には、図１に示すように、その外面に凹部８が設けられている。本実施の形態１では、筐体２の外面のうち、一方の主面５には、計測結果、例えば、血糖値や血圧値を表示する表示画面４が設けられている。そして、主面５に隣接する面（側面）６及び７に、それぞれ凹部８が設けられている。また、図２及び図３に示すように、凹部８の内側には、貼付部材３が貼付される。なお、図１において外面７に設けられた凹部については図示を省略している。
【００２９】
また、図３に示すように、本実施の形態１では、貼付部材３は、粘着材層１１、印刷層１０、及び滑り止め層９を順に積層することによって形成できる。但し、本実施の形態１において、貼付部材３の構成は特に限定されるものではない。
【００３０】
滑り止め層９は、樹脂材料やゴム材料によって形成できる。樹脂材料及びゴム材料は、摩擦係数の高い材料であるのが好ましい。また、本実施の形態１では、印刷層１０が設けられるため、これらの樹脂材料及びゴム材料は、光透過性を有しているのが好ましい。印刷層１０が設けられない場合は、これらの樹脂材料及びゴム材料は、光透過性を有していなくても良い。また、滑り止め層９は、表面に凹凸を設けることによって摩擦係数を高めた部材によって形成されていても良く、この場合は、樹脂材料やゴム材料以外の材料であっても良い。
【００３１】
具体的には、滑り止め層９を形成するための樹脂材料としては、アクリル樹脂、ウレタン樹脂、ポリエチレン樹脂、ポリプロピレン樹脂、ＡＢＳ樹脂、ポリ塩化ビニル樹脂、ＡＳ樹脂、エポキシ樹脂、紫外線硬化樹脂といった樹脂材料が挙げられる。また、滑り止め層９を形成するためのゴム材料としては、シリコンゴム、ブタジエンゴム、イソプレンゴム、クロロプレンゴム、ブチルゴム、フッ素ゴム、スチレン−ブタジエンゴムといったゴム材料が挙げられる。
【００３２】
印刷層１０には、種々の模様や、図形、文字等が印刷されている。印刷された模様、図形、文字等は、本実施の形態１では、滑り止め層９を介して、外部から視認される。印刷層１０としては、ポリエチレンフィルム、ポリカーボネイトフィルム、又は紙等を用いることができる。
【００３３】
粘着材層１１の形成材料、その厚み等は、特に限定されるものではない。粘着材層１１の形成材料としては、筐体の形成材料に応じて、既存の材料から適宜選択したものを用いることができる。また、粘着材層１１の厚みは、求められる粘着力が得られるように適宜設定すれば良い。例えば、滑り止め層９が劣化や破損した場合や、ユーザーが印刷層１０のデザインの変更を希望した場合は、貼付部材３を剥離する必要がある。よって、粘着材層１１の形成は、その粘着力が強くなりすぎないように行うのが好ましい。
【００３４】
この医療機器１において、現在貼付されている貼付部材３を、印刷層１０に印刷されている模様や滑り止め層９の色彩が異なる別の貼付部材３に貼り替えれば、医療機器１の外観は変化する。医療機器１によれば、従来のように保護カバーを用いなくても外観を変化できるため、低コストでの外観の変化が可能となり、更に、医療機器１の小型化が妨げられることもない。
【００３５】
また、本実施の形態１では、貼付部材３の筐体２への貼付は、粘着材層１１によって行われている。よって、ユーザーは、簡単に貼付部材３を貼り替えることができるので、医療機器の外観を自己の好みに合わせたり、外観の変化を楽しんだりすることができる。そして、この結果、ユーザーは、医療機器１に対する愛着を深めたり、気持ちをリフレッシュしたりすることができる。また、貼付部材３のデザインを目立つものとすれば、医療機器１が小型化し、紛失し易くなっても、これを抑制することができる。
【００３６】
また、本実施の形態では、貼付部材３に滑り止め効果を付与することができるため、ユーザーが誤って機器を落下させてしまう事態の発生が抑制される。更に、本実施の形態１では、ユーザーが医療機器１を操作するときに、その手が最も触れやすい側面、即ち、面６及び７に貼付部材３が設けられている。これにより、貼付部材３による滑り止め効果は効率良く発揮される。また、貼付部材３は、凹部８の内側に貼付されているので、筐体２の外面に、単に貼り付けた場合と異なり、使用中に貼付部材３が外部の他の物体に接触して剥離されてしまうのが抑制される。
【００３７】
（実施の形態２）
本発明の実施の形態２における医療機器について、図４及び図５を参照しながら説明する。図４は、本発明の実施の形態２における医療機器を示す側面図である。図５は、図４に示した医療機器を切断線Ｂ−Ｂ´に沿って切断して得られる断面図である。
【００３８】
図４及び図５に示すように、本実施の形態２における医療機器２０では、凹部８は、その開口縁８ａと貼付部材３との間に隙間１２が形成されるように設けられている。言い換えると、凹部８は、その開口面積が、貼付部材３の貼付面積よりも大きくなるように形成されている。
【００３９】
図４及び図５の例では、開口縁全体にわたって隙間１２が形成されている。このため、医療機器２０を側方から見ると、貼付部材３の周りに側溝が設けられた状態となっている（図４参照）。医療機器２０は、上述した部分以外の部分については、実施の形態１における医療機器１と同様に構成されている。
【００４０】
このような構成により、医療機器２０を用いた場合は、ユーザーは、指や爪等を隙間１２に差し込むことができ、貼付部材３を簡単に剥がすことができる。本実施の形態２によれば、貼付部材３の貼り替えが必要なときに簡単に古い貼付部材３を剥離できるので、ユーザーは、いっそう外観の変化を楽しむことができる。
【００４１】
なお、隙間１２が大きくなりすぎると、貼付部材３が外部の物体と接触し易くなり、ユーザーの意図しない剥離が生じやすくなる。よって、隙間１２は大きくなり過ぎないように形成する必要がある。
【００４２】
（実施の形態３）
本発明の実施の形態３における医療機器について、図６及び図７を参照しながら説明する。図６は、本発明の実施の形態３における医療機器を示す側面図である。図７は、図６に示した医療機器を切断線Ｃ−Ｃ´に沿って切断して得られる断面図である。
【００４３】
図６及び図７に示すように、本実施の形態３における医療機器２１も、実施の形態２における医療機器２０と同様に、凹部８は、その開口縁８ａと貼付部材３との間に隙間１２が形成されるように設けられている。
【００４４】
但し、本実施の形態３では、実施の形態２と異なり、凹部８は、一部の開口縁８ａと貼付部材３との間にのみ、隙間１２が形成されるように設けられている。また、本実施の形態３における医療機器２１は、実施の形態２における医療機器２０と異なり、更に、隙間１２を塞ぐカバー１３を備えている。カバー１３は、板状を呈し、弾性体１４を介して凹部８に固定されている。図６においては、カバー１３にはハッチングが施されている。
【００４５】
図７の例では、この弾性体１４としては、コイルバネが用いられている。このコイルバネ（弾性体１４）の一端はカバー１３に固定され、他端は凹部８の底面に固定されている。よって、弾性体１４は、カバー１３が外力によって凹部８の内側に向けて押圧されると（例えば、ユーザーが指等でカバー１３を押すと）弾性変形する。そして、弾性体１４に与えられている外力が除去されると、弾性体１４は、カバー１３を元の位置に復帰させる。
【００４６】
このように、本実施の形態３では、実施の形態２と異なり、隙間１２は通常の状態ではカバー１３によって塞がれている。つまり、ユーザーが貼付部材３の剥離を決定し、カバー１３が押されるまでは、隙間１２の存在は隠された状態となっている。このため、本実施の形態３によれば、実施の形態２に比べて、貼付部材３の端が外部の物体に接触することによる貼付部材３の剥離の発生は抑制される。なお、医療機器２１は、上述した部分以外の部分については、実施の形態１における医療機器１や、実施の形態２における医療機器２０と同様に構成されている。
【００４７】
（実施の形態４）
本発明の実施の形態４における医療機器について、図８及び図９を参照しながら説明する。図８は、本発明の実施の形態４における医療機器を示す側面図である。図９は、図８に示した医療機器を切断線Ｄ−Ｄ´に沿って切断して得られる断面図である。
【００４８】
図８及び図９に示すように、本実施の形態４における医療機器２２では、筐体２に、凹部８の外周に沿って溝１５が設けられている。また、筐体２における、溝１５と凹部８との間の部分は、貼付部材３に面する壁部１６となっている。
【００４９】
この構成により、本実施の形態４では、ユーザーは、溝１５の内部から貼付部材３に向けて（図９中の矢印の方向に向けて）、壁部１６を押圧できる。そして、この押圧により、貼付部材３は変形し、粘着材層１１の凹部８に対する接着面積が小さくなり、貼付部材３は剥がれ易い状態となる。
【００５０】
また、図８及び図９の例では、溝１５は、貼付部材３の各長辺に沿って２つずつ設けられている。よって、一方の長辺に隣接する溝１５と他方の長辺に隣接する溝１５とは対向し、貼付部材３は、壁部１６によって囲まれた状態となっている。このため、ユーザーは、例えば親指と人差し指とで、壁部１６を介して貼付部材３をつまむことができ、貼付部材３を簡単に変形させることができる。
【００５１】
このように、本実施の形態４によれば、実施の形態１に比べて、貼付部材３の剥離作業は容易なものとなる。また、貼付部材３の端は、外部に露出しにくいため、貼付部材３の端が外部の物体に接触することによる貼付部材３の剥離の発生も抑制される。なお、医療機器２２は、上述した部分以外の部分については、実施の形態１における医療機器１と同様に構成されている。
【００５２】
また、本実施の形態４では、壁部１６を介した貼付部材３の押圧を容易なものとするため、筐体２の形成材料としては、次の樹脂やゴムを用いるのが好ましい。樹脂としては、ポリエチレンテレフタレート樹脂、塩化ビニル樹脂、フェノール樹脂、ナイロンアミド樹脂、ポリイミド樹脂、ポリエーテルイミド樹脂、ポリサルホン樹脂等が挙げられる。ゴムとしては、シリコンゴム、ブタジエンゴム、イソプレンゴム、クロロプレンゴム、ブチルゴム、フッ素ゴム、スチレン・ブタジエンゴム等が挙げられる。
【００５３】
また、溝１５の深さｉは、例えば、凹部８の深さＩの２倍〜３倍であるのが好ましい。更に、溝１５と凹部８との距離（壁部１６の厚み）ｈは、例えば、溝１５の幅Ｈの０．３倍〜０．５倍であるのが好ましい。
【００５４】
（実施の形態５）
本発明の実施の形態５における医療機器について、図１０及び図１１を参照しながら説明する。図１０は、本発明の実施の形態５における医療機器を示す分解斜視図である。図１１（ａ）は、図１０に示した医療機器を切断線Ｅ−Ｅ´に沿って切断して得られる断面図、図１１（ｂ）は、図１０に示した医療機器を切断線Ｆ−Ｆ´に沿って切断して得られる断面図である。
【００５５】
図１０、図１１（ａ）及び（ｂ）に示すように、本実施の形態５における医療機器２３では、凹部８の断面の底側がＶ形状に形成されている。このため、貼付部材３は、弾性変形した状態で凹部８の内側に貼付され、貼付部材３の粘着材層１１の粘着面の一部は、凹部８の内側に接触していない状態となる。よって、後に貼付部材３を剥離する必要性が発生した場合に、ユーザーは、貼付部材３を簡単に剥離できる。また、剥離し易さの程度は、次に述べるように、Ｖ形部分１７の角度によって設定することができる。
【００５６】
本実施の形態５では、図１０、図１１（ａ）及び（ｂ）に示すように、凹部８は、そのＶ形部分１７の角度が変化するように形成されている。具体的には、切断線Ｅ−Ｅ´の断面から切断線Ｆ−Ｆ´の断面に向かうにつれて、Ｖ形部分１７の角度は小さくなっている。このため、貼付部材３の凹部８に対する接着面積も一定ではなく、切断線Ｅ−Ｅ´の断面から切断線Ｆ−Ｆ´の断面に向かうにつれて変化することとなる。
【００５７】
つまり、本実施の形態５では、貼付部材３の粘着力は、切断線Ｆ−Ｆ´の断面に向かうにつれて小さくなっている。本実施の形態５は、貼付部材３の粘着力を部分毎に制御したい場合に有効である。また、このように、貼付部材３は、底面が平らでない部分に貼付することもできる。
【００５８】
その他、本発明における医療機器は、上述の実施の形態１〜５に示した態様以外の態様とすることもできる。例えば、貼付部材３の代わりに、図１２〜図１９に示す貼付部材を用いることもできる。ここで、実施の形態１〜５において、図３、図５、図７、図９、図１１（ａ）及び図１１（ｂ）に示した貼付部材３を第１例とし、図１２〜図１９それぞれに示された貼付部材を第２例〜第９例として、以下に第２例〜第９例の貼付部材について説明する。
【００５９】
図１２（ａ）及び図１２（ｂ）は、本発明における医療機器で用いることができる貼付部材の第２例を示す図であり、図１２（ａ）は粘着材層側からみた平面図、図１２（ｂ）は図１２（ａ）中の切断線Ｇ−Ｇ´に沿って得られた断面図である。
【００６０】
図１２（ａ）及び図１２（ｂ）に示す貼付部材１８においては、粘着材層１１は、図３に示した例と異なり、印刷層１０の全面に渡って形成されていない。貼付部材１８における粘着材層１１の粘着力は、図３に示した貼付部材３の粘着材層１１の粘着力よりも弱くなっている。つまり、第２例では、粘着面積を小さくすることによって、粘着力が弱められている。第２例は、貼付部材の剥離が頻繁に行われる場合に有効である。
【００６１】
図１３は、本発明における医療機器で用いることができる貼付部材の第３例を示す斜視図である。図１３に示す貼付部材１９においては、それを貫くように、貫通孔１９ａ及び１９ｂが形成されている。このため、例えば、貫通孔１９ａ及び１９ｂそれぞれに棒部材２４を挿通し、二つの棒部材２４を把持手として利用すれば、簡単に貼付部材１９を剥離することができる。図１３に示す第３例の貼付部材１９を用いれば、ユーザーにおいて、貼付部材１９の貼り替えの手軽さが促進される。
【００６２】
図１４は、本発明における医療機器で用いることができる貼付部材の第４例を示す断面図である。図１４に示すように、第４例の貼付部材３０は、粘着材層１１と、滑り止め層３２とを備えている。また、粒状の識別部材３１が、滑り止め層３２の内部で分散した状態にある。そして、識別部材３１は、発光性材料や、熱変色性材料、光反射性材料等によって形成されている。なお、図１４において、滑り止め層３２のハッチングは省略されている。
【００６３】
ここで、発光性材料としては、例えば、蓄光材料や、蛍光材料が挙げられる。蓄光材料の具体例としては、アルミン酸ストロンチウム（ＳｒＡｌ２Ｏ４）で形成された結晶母体に、ユウロピウム（Ｅｕ）やジスプロシウム（Ｄｙ）等の希土類元素を添加して得られたもの、硫化亜鉛（ＺｎＳ）に銅（Ｃｕ）を添加したもの等が挙げられる。蛍光材料としては、フルオレセインイソチオシアネートや、テトラメチルローダミンイソチオシアネート等が挙げられる。
【００６４】
また、熱変色性材料としては、ロイコ染料等の発色剤と、顕色剤と、変色温度調整剤とを含有し、ある温度になると発色剤と顕色剤とが結合して発色する材料が挙げられる。具体的には、パイロット社製のメタモカラー（登録商標）が挙げられる。反射性材料としては、金属材料、ガラス材料等が挙げられる。
【００６５】
滑り止め層３２は、図３に示した滑り止め層９の形成材料と同様の形成材料を用いて形成できる。但し、滑り止め層３２は、第４例においては、識別部材３１に外部から光が入射するように、光透過性を有することが求められる。また、粘着材層１１は、図３に示された粘着材層１１と同様のものである。
【００６６】
このような構成により、貼付部材３０は外部から良く目立つため、医療機器に貼付部材３０を適用すれば、特に、視力の弱い患者にとって、自己の医療機器の識別が容易なものとなる。また、識別部材３１の形成材料として、上述の熱変色性材料を用いた場合は、識別部材３１は、ユーザーの体温や周囲の温度を感知して変色する。そして、熱変色性材料が変色を開始する温度を、医療機器の使用可能な温度の上限（例えば４０℃）と下限（例えば１０℃）とに設定すれば、ユーザーは、識別部材３１の色によって、医療機器が使用可能な温度にあるかどうかを判定できる。
【００６７】
図１５は、本発明における医療機器で用いることができる貼付部材の第５例を示す断面図である。図１５に示すように、第５例の貼付部材４０は、粘着材層１１と、滑り止め層４２との間に、識別層４１を備えている。識別層４１は、発光性材料や光反射性材料等によって形成されている。なお、図１５において、滑り止め層４２のハッチングは省略されている。
【００６８】
ここで、発光性材料としては、第４例において述べたものが挙げられる。但し、第５例においては、発光性材料は層状に成形される。また、光反射性材料としては、金属材料や再帰性反射材料が挙げられる。金属材料の具体例としては、アルミニウムや銀等が挙げられ、これらの材料は箔状又は薄膜状に成形される。また、再帰性反射材料の具体例としては、直径が５０μｍ〜５００μｍ程度の多数のガラスビーズを面上に配列して形成されたシート材料が挙げられる。
【００６９】
また、第５例においても、第４例と同様に、滑り止め層４２には、識別層４１に外部から光を入射させるための光透過性を有することが求められるが、それ以外の点では、滑り止め層４２は、図３に示された滑り止め層９と同様に形成できる。また、粘着材層１１は、図３に示された粘着材層１１と同様のものである。このような構成により、貼付部材４０も外部から良く目立つため、医療機器に貼付部材４０を適用した場合も、特に、視力の弱い患者にとって、自己の医療機器の識別が容易なものとなる。
【００７０】
図１６は、本発明における医療機器で用いることができる貼付部材の第６例を示す断面図である。図１６に示すように、貼付部材５０は、粘着材層１１と、滑り止め層５２と、識別層５１とを順に積層して形成されている。識別層５１は、図１４に示された第４例の識別層４１と同様に形成することができる。なお、図１６において、滑り止め層５２のハッチングは省略されている。
【００７１】
更に、第６例では、識別層５１は、図１４に示された第４例の説明で述べた熱変色性材料を用いて形成しても良い。この場合は、第４例と同様に、識別層５１は、ユーザーの体温や周囲の温度を感知して変色する。そして、熱変色性材料が変色を開始する温度を、医療機器の使用可能な温度の上限と下限とに設定すれば、ユーザーは、識別層５１の色によって、医療機器が使用可能な温度範囲内にあるかどうかを判定できる。
【００７２】
第６例においては、滑り止め層５２における光透過性の程度は特に限定されず、滑り止め層５２としては、図３に示された滑り止め層９と同様のものを用いることができる。粘着材層１１は、図３に示された粘着材層１１と同様のものである。第６例では、識別層５１が最上層に位置するため、医療機器に貼付部材５０を適用した場合は、ユーザー（特に、視力の弱い患者）における識別容易性は更に向上することとなる。
【００７３】
また、第６例は、識別層５１の代わりに、シート状の温度計が貼付された態様であっても良い。具体的には、シート状の温度計としては、温度に応じて色が変化するコレステリック液晶を備えた液晶温度計が挙げられる。液晶温度計は、例えば、１０℃、１５℃、２０℃、２５℃、３０℃、３５℃、４０℃のように、大体の温度をユーザーに知らせることができる。よって、この場合も、識別層５１が熱変色性材料を用いて形成されている場合と同様に、ユーザーは、医療機器が使用可能な温度範囲内にあるかどうかを判定できる。
【００７４】
図１７は、本発明における医療機器で用いることができる貼付部材の第７例を示す断面図である。図１７に示す第７例の貼付部材６０は、第１例〜第６例の貼付部材と異なり、ユーザーをリラックスさせる機能を備えている。図１７に示すように、貼付部材６０は、粘着材層１１と、分離層６１と、芳香成分含浸層６２と、滑り止め層６３とを備えている。分離層６１及び芳香成分含浸層６２は、順に、粘着材層１１の一方側に積層され、更に、滑り止め層６３は、粘着材層１１の一方側に、分離層６１及び芳香成分含浸層６２を覆うように形成されている。なお、図１７において、滑り止め層６３のハッチングは省略されている。
【００７５】
芳香成分含浸層６２は、多孔質材料に、芳香成分を含む材料を含浸させることによって形成することができる。多孔質材料としては、第１例の滑り止め層９の形成材料として挙げた樹脂材料やゴム材料を出発材料とし、これを発泡させて得られる多孔質材料が挙げられる。
【００７６】
芳香成分を含む材料としては、オレンジ油、レモン油、ライム油、ブチグレン油、ユズ油、ネロリ油、ベルガモット油、ラベンダー油、ラバジン油、アビエス油、ベイ油、イランイラン油、ラブダナム油、シトロネラ油、ゼラニウム油、ペパーミント油、スペアミント油、ユーカリ油、レモングラス油、パチュリ油、ジャスミン油、ローズ油、シダー油、ベチバー油、ガルバナム油、オークモス油、パイン油、樟脳油、白檀油、リナロール、ゲラニオール、シトロネロール、ｌ−メントール、ボルネオール、β−フェニルエチルアルコール、ｎ−ノニルアルデヒド、シトラール、シンナミックアルデヒド、リリアール、バニリン、カンファー、ヨノン、エチレンブラシレート、ガラクソリド、酢酸リナリル等が挙げられる。
【００７７】
滑り止め層６３は、芳香成分含浸層６２に含まれる芳香成分が通過可能なものであれば良く、具体的には、滑り止め層６３としても、上述の多孔質材料を用いることができる。但し、滑り止め層６３は、ユーザーの手が触れる部分であり、ある程度の柔軟性を有しているのが好ましい。具体的には、滑り止め層６３を形成する多孔質材料としては、孔径が３００μｍ〜３０００μｍ程度のものを用いるのが好ましい。
【００７８】
分離層６１は、芳香成分含浸層６２に含まれる芳香成分と、粘着材層１１に含まれる粘着材との反応を阻止するために配置されている。分離層６１としては、アルミニウム箔等の金属箔を用いることができる。粘着材層１１は、図３に示された粘着材層１１と同様のものである。
【００７９】
このような構成により、ユーザーが、貼付部材６０が貼付された医療機器を握ると、貼付部材６０から芳香成分が発散されることとなる。そして、ユーザーは、芳香成分により、リラックスすることができる。また、特に、ユーザーが疾患を患った患者である場合は、芳香成分により、苦痛の緩和が図られると考えられる。更に、ユーザーが香りを選択できるようにした場合は、ユーザーは、貼付部材６０からの香りによって、自己の医療機器を特定することができる。
【００８０】
図１８は、本発明における医療機器で用いることができる貼付部材の第８例を示す断面図である。図１８に示す第８例の貼付部材７０は、第１例〜第７例の貼付部材と異なり、圧を受けると音を発する機能を備えている。図１８に示すように、貼付部材７０は、粘着材層１１と、回路基板７１と、滑り止め層７３とを備えている。回路基板７１は、圧力センサ７２及び薄型のスピーカ７４を実装している。なお、図１８において、滑り止め層７３のハッチングは省略されている。
【００８１】
回路基板７１は、粘着材層１１の一方側に配置され、スピーカ７４を駆動する駆動回路と、スピーカ７４に電力を供給する電源回路とを備えている（これらの回路については図示せず）。また、電源回路には、電池（図示せず）も備えられている。滑り止め層７３は、回路基板７１、圧力センサ７２及びスピーカ７４を覆うように形成されている。
【００８２】
圧力センサ７２は、滑り止め層７３に対する押圧を検知可能なものであれば良い。図１８の例では、圧力センサ７２は、ピエゾ抵抗素子が形成されたダイヤフラム（図示せず）を備えている。よって、滑り止め層７３が押圧され、それによってダイヤフラムが変形すると、ピエゾ抵抗素子の電気抵抗が変化し、同時に、圧力センサ７２からの電気信号のレベルも変化する。
【００８３】
回路基板７１に備えられた駆動回路（図示せず）は、圧力センサ７２からの電気信号のレベルを検知する機能を有し、滑り止め層７３が押圧されたことを検知する。そして、駆動回路は、滑り止め層７３の押圧を検知すると、電源回路に、スピーカ７４への電力供給を行わせ、スピーカ７４から予め設定された音を出力させる。
【００８４】
滑り止め層７３としては、図３に示された滑り止め層９と同様のものを用いることができる。また、図１７に示された滑り止め層６３と同様に、滑り止め層７３としても、多孔質材料を用いることができる。粘着材層１１は、図３に示された粘着材層１１と同様のものである。
【００８５】
このような構成により、ユーザーが、貼付部材７０が貼付された医療機器を握ると、貼付部材７０から音が出力される。第８例の貼付部材７０は、特に、指先の触覚が鈍くなってしまった患者に対して有効である。また、貼付部材７０においては、滑り止め層７３にかかる圧力に閾値を設定し、設定された閾値に到達しない場合は、音が出力されないようにすることもできる。この場合、患者は、貼付部材７０からの音によって、医療機器をしっかり保持できていることを認識できる。更に、このことは、患者の把持機能の強化訓練にもつながる。
【００８６】
また、出力される音をユーザーによって選択できるようにすることで、ユーザーは、貼付部材７０からの音によって、自己の医療機器を特定することができる。更に、貼付部材７０から音楽が出力されるようにすれば、ユーザーは、それによってリラックスすることができる。また、特に、ユーザーが疾患を患った患者である場合は、音楽により、苦痛の緩和が図られると考えられる。更に、貼付部材７０が貼付された医療機器は、ユーザーが誤って落下させた場合も音を出力する。よって、特に、ユーザーが難聴や盲目である場合に、有効である。
【００８７】
図１９は、本発明における医療機器で用いることができる貼付部材の第９例を示す断面図である。図１９に示された断面は、貼付部材８０を長軸方向に沿って切断して得られる断面である。図１９に示す第９例の貼付部材８０は、第１例〜第８例の貼付部材と異なり、ユーザーによる把持を容易にするための凹部８２を備えている。具体的には、図１９に示すように、貼付部材８０は、粘着材層１１と、その一方の側に配置された滑り止め層８１とを備えている。滑り止め層８１には、４つの凹部８２が形成されている。なお、図１９において、滑り止め層８１のハッチングは省略されている。
【００８８】
各凹部８２は、貼付部材８０が取り付けられた医療機器をユーザーが把持する際に、その指が収まるように、貼付部材８０の短軸方向に沿って間隔を置いて形成されている。凹部８２の数、幅、深さ等は適宜設定すれば良く、特に限定されるものではない。凹部８２が設けられた滑り止め層８１は、図３に示した滑り止め層９の形成材料と同様の形成材料を型に流し込み、これを硬化させることによって形成できる。
【００８９】
更に、各凹部８２の配置及び形状をユーザーの手の形に合わせる場合は、次の手順で滑り止め層８１を形成すれば良い。先ず、ユーザーの手の形をシリコンゴム等で型取りし、この型から雄型を作成する。次いで、この雄型から雌型を作成し、この雌型に形成材料を流し込めば、各凹部８２の配置及び形状がユーザーの手の形に整合した、滑り止め層８１が形成される。また、図１７に示された滑り止め層６３と同様に、滑り止め層８１としても、多孔質材料を用いることができる。粘着材層１１は、図３に示された粘着材層１１と同様のものである。
【００９０】
このような構成により、貼付部材８０が貼付された医療機器は、ユーザーにとって保持しやすいものとなる。第９例の貼付部材８０も、第８例の貼付部材７０と同様に、特に、ユーザーが、指先の触覚が鈍くなってしまった患者である場合に有効である。また、ユーザーは、手探りによって確実に医療機器を保持できるため、ユーザーが視力の弱い患者である場合にも有効である。
【００９１】
ところで、上述した実施の形態１〜実施の形態５に示した医療機器は、それぞれ、独自の機能も備えており、様々なユーザーの好みに対応することができる。よって、実施の形態１〜実施の形態５に示した医療機器は、ユーザーの希望に応じたカスタマイズが施された状態で、販売されることが求められている。
【００９２】
具体的には、ユーザーが、自己のコンピュータ装置の画面上に、カスタマイズされた状態の仮想の医療機器を表示でき、そして、表示された医療機器を購入できる販売システムが求められている。このような販売システムは、販売用のＷｅｂサイトを提供するサーバ装置によって提供できる。ユーザーは、インターネットを介して、自己の端末装置でサーバ装置にアクセスすれば良い。この販売システムでは、ユーザーは、貼付部材の種類（図３、図１２〜図１９参照）、筐体の凹部の形状、筐体の色等を、カスタマイズでき、自分だけの医療機器を得ることができる。
【産業上の利用可能性】
【００９３】
以上のように、本発明は、医療機器、特に携帯型の小型の医療機器の外観の変更に有効である。本発明の医療機器は、産業上の利用可能性を有している。
【符号の説明】
【００９４】
１  医療機器（実施の形態１）
２  筐体
３  貼付部材
４  表示画面
５  筐体の主面
６、７  主面に隣接する面（側面）
８  凹部
８ａ  開口縁
９  滑り止め層
１０  印刷層
１１  粘着材層
１２  隙間
１３  カバー
１４  弾性体
１５  溝
１６  壁部
１７  Ｖ形部分
１８  貼付部材
１９  貼付部材
１９ａ、１９ｂ  貫通孔
２０  医療機器（実施の形態２）
２１  医療機器（実施の形態３）
２２  医療機器（実施の形態４）
２３  医療機器（実施の形態５）
２４  棒部材
ｈ  溝と凹部との距離（壁部の厚み）
Ｈ  溝の幅
ｉ  溝の深さ
Ｉ  凹部の深さ
【図１】
0005410482.tif 000002
【図２】
0005410482.tif 000003
【図３】
0005410482.tif 000004
【図４】
0005410482.tif 000005
【図５】
0005410482.tif 000006
【図６】
0005410482.tif 000007
【図７】
0005410482.tif 000008
【図８】
0005410482.tif 000009
【図９】
0005410482.tif 000010
【図１０】
0005410482.tif 000011
【図１１】
0005410482.tif 000012
【図１２】
0005410482.tif 000013
【図１３】
0005410482.tif 000014
【図１４】
0005410482.tif 000015
【図１５】
0005410482.tif 000016
【図１６】
0005410482.tif 000017
【図１７】
0005410482.tif 000018
【図１８】
0005410482.tif 000019
【図１９】
0005410482.tif 000020